Podtech/llm-jp-corpus-v4-ja_patent huggingface dataset:
(57)【要約】【課題】本発明は、テコを利用した果汁の絞り器で家庭において、誰もが簡単に使用出来る器具を提供する。【解決手段】手押し式、圧搾して果汁を絞る，図２に示すハンドル3を押し下げて押圧板２,４と受板５の間に柑橘類１１を鋏んで、ハンドル棒３を押えて絞る。また、図１の押圧板２の周りに漏斗４でカバーして、押圧板２の外回り部分を支え、柑橘類の皮に含まれる香り成分の飛び散りを防ぎ、香り成分を残すことに役立てる。香り成分の汁は、絞り汁と混合することで、柑橘類の持つ甘味や風味をそのまま絞り取ることができる。 【選択図】図１
2014183906.tif 000002
【特許請求の範囲】
【請求項１】
図１の斜視図に示すように、台７に取り付けられた縦軸8の上部にヒンジ部１によっ
て取り付けられたハンドル３を握り、押圧板２，４と受板器５との間に入れた柑橘類
を、ハンドルを下げることによりテコの作用で搾り、得られた果汁の汁が下に落ち、
うけ缶６に貯まる工程及び押圧板２、４受板器５底部に多数の穴をあけ柑橘類１１の
皮から出た香り成分の汁の飛び散りを防ぐ工程を備えた柑橘類の果汁の絞り器。
【発明の詳細な説明】
【技術分野】
【０００１】
本発明は、柑橘類の果汁を容易に絞る方法に関するものである。
【先行技術文献】
【特許文献】
【０００２】
【特許文献１】特開平８−１６４０６２
【特許文献２】特開２０１１−０７８７１３
【発明の概要】
【発明が解決しようとする課題】
【０００３】
従来の果汁絞り器は、切り刃や切断刃を備えたものであり、作業を行う上で危険を伴う。また、刃の破損により食用となる果汁の中に金属が混入する恐れもある。（特許文献１、特許文献２）こうしたものとは違い、安全性が高く、簡単に作業のできる絞り器を考案したものである。
【課題を解決するための手段】
【０００４】
図１に示すように、台７に取り付けられた縦軸8の上部にヒンジ部１によって取り付
けられたハンドル３を握り、押圧板２，４と受板器５との間に入れた柑橘類を、ハン
ドルを下げることによりテコの作用で搾り、得られた果汁が下に落ちうけ缶６に貯め
る。また、図１の押圧板２の周りに漏斗４でカバーして押圧板の外回り部分を支え、柑橘類の皮に含まれる香り成分の汁の飛び散りを防ぎ香り成分を残すことに役立てる。香り成分の汁は、絞り汁と混合することで、柑橘類の持つ甘味や風味をそのまま搾り取ることができる。又、受け圧板５の外周部に深い溝を設け、種子が溜まるようにして絞り効果を上げるようにした。なお、柑橘類を置き直して再度絞ることで最後の一滴まで絞ることができる。また、押圧板２と受け板器５が水平に接触できるように、押圧板２のシャフト部をハンドル３に通す穴をパイプの上側より下側を大きくして、蝶ネジ部２を調整できるようにした。
【発明の効果】
【０００５】
本発明は、テコを利用したものであり、力の弱い者でも、簡単、迅速にかつ安全に作
業することができる。また、金属片などの異物が混入しない安全性の高い絞り汁を得
ることができる。
【図面の簡単な説明】
【０００６】
【図１】手押し式しぼり器の斜視図
【図２】手押し式しぼり器を縦に切断してみた断面図
【図３】ヒンジ部とハンドルの取付け部の図
【図４】受板器であり柑橘類を入れる器の図
【図５】果汁を溜める缶の図
【図６】押圧板とカバーの図
【発明を実施するための形態】
【０００７】
以下、本発明を図面に基づき詳細に説明する。図１は本発明の一例を側面からみた斜
視図である。台７はステンレス製、又は木製品、縦軸８は、ステンレス製又は鉄製で
も良い。ヒンジ部１のピンはステンレス製オレピン、ハンドル３以下、缶６に至るま
でステンレス製とする。縦軸足元ベース９は木製台の時ネジで締め付けるステンレス
製であれば蝶ネジ１３を使う。金額を安くするには台７は、木製品を使うと良い。
【０００８】
図１の１４は缶の滑り止めを付けるようにした。
【０００９】
柑橘類としては、みかん、スダチ、ポンカン、はっさく、文旦、カクテルフルーツ、
デコポン、オレンジ、レモンのいずれでも絞ることができる。
【産業上の利用可能性】
【００１０】
図２に示すように、この発明においては柑橘類であれば大小問はず半分に切った柑
橘類１１に示すように上から下にハンドル３を押さえて絞ることのできる果汁絞りで
ある。このため、廃棄するような小さい柑橘類まで、絞り汁を得ることができる。
【符号の説明】
【００１１】
１  ヒンジ部オレピン
２  蝶ネジ、押圧板
３  ハンドル
４  カバー、漏斗
５  受け板器
６  缶
７  台
８  縦軸
９  ベース
１０  ばね座金
１１  柑橘類
１２  溝
１３  蝶ネジ
１４  缶滑り止め
【図１】
2014183906.tif 000003
【図２】
2014183906.tif 000004
【図３】
2014183906.tif 000005
【図４】
2014183906.tif 000006
【図５】
2014183906.tif 000007
【図６】
2014183906.tif 000008
(57)【要約】【課題】本発明は、容易に取り外すことができるケーブルクランプを提供することを目的とする。【解決手段】本発明に係るケーブルクランプは、ケーブルを束ねる収容部と、第一挟持部と、第二挟持部と、を備える。第一挟持部と第二挟持部とは前記収容部から下方へ延伸し且つ１つの板体を挟む。また、収容部にはケーブルを収容する収容空間と、この収容空間に連通する開口と、が設けられ、第一挟持部は収容部から延伸する弾性片と、弾性片の第二挟持部に面する面に突設された突出部と、を備え、第二挟持部は、収容部から延伸する延伸部と、延伸部の底端を連接する連接部と、延伸部の底端から互いに離れる方向にそれぞれ延出した後、上方に垂直にそれぞれ延伸する２つの抵抗部と、を備える。【選択図】図３
2014183733.tif 000002
【特許請求の範囲】
【請求項１】
ケーブルを束ねる収容部と、
第一挟持部と、
第二挟持部と、
を備えてなるケーブルクランプであって、
前記第一挟持部と第二挟持部とは前記収容部から下方に延伸し且つ１つの板体を挟むことを特徴とするケーブルクランプ。
【請求項２】
前記収容部にはケーブルを収容する収容空間と前記収容空間に連通する開口とが設けられていることを特徴とする請求項１に記載のケーブルクランプ。
【請求項３】
前記第一挟持部は前記収容部から延伸する弾性片と、前記弾性片の前記第二挟持部に面する面に突設された突出部と、を備えることを特徴とする請求項１又２に記載のケーブルクランプ。
【請求項４】
前記第二挟持部は、前記収容部から延伸する延伸部と、前記延伸部の底端を連接する連接部と、前記延伸部の底端から互いに離れる方向にそれぞれ延出した後、上方に垂直にそれぞれ延伸する２つの抵抗部と、を備えることを特徴とする請求項１から３の何れか一項に記載のケーブルクランプ。
【発明の詳細な説明】
【技術分野】
【０００１】
本発明は、ケーブルクランプに関するものである。
【背景技術】
【０００２】
従来の技術において、サーバ内のケーブルを束ねるケーブルクランプはシャーシ内に接着して取り付けられるため、取り外すのが難しい。
【発明の概要】
【発明が解決しようとする課題】
【０００３】
本発明の目的は、前記問題を解決し、容易に取り外すことができるケーブルクランプを提供することである。
【課題を解決するための手段】
【０００４】
上記目的を達成するために、本発明に係るケーブルクランプは、ケーブルを束ねる収容部と、第一挟持部と、第二挟持部と、を備える。第一挟持部と第二挟持部とは前記収容部から下方に延伸し且つ１つの板体を挟む。
【発明の効果】
【０００５】
本発明に係るケーブルクランプは、第一挟持部と第二挟持部とが１つの板体を挟むことによって、板体に固定されるので、取り外しが容易である。
【図面の簡単な説明】
【０００６】
【図１】本発明の実施形態に係るケーブルクランプとシャーシとの分解斜視図である。
【図２】図１に示すケーブルクランプの別の方向から見た拡大図である。
【図３】図１に示すケーブルクランプの組立斜視図である。
【発明を実施するための形態】
【０００７】
図１〜図３に示したように、本発明の実施形態に係るケーブルクランプ２０は、板体１０に装着され、ケーブル４０を束ねる際に使用される。
【０００８】
板体１０は、シャーシ３０の底板３２から上方に垂直に延伸する。板体１０には固定孔１２が設けられている。
【０００９】
ケーブルクランプ２０は、収容部２２と、第一挟持部２４と、第二挟持部２６と、を備える。収容部２２は、底壁２２０と、底壁２２０の上面の両側に且つ互いに対向して設けられた２つの制限部２２２と、を備える。これにより、底壁２２０と制限部２２２との間にはケーブル４０を収容できる収容空間２２４が設けられている。また、２つの制限部２２２の間には収容空間２２４と連通する開口２２６が設けられており、ケーブル４０はこの開口２２６を介して収容空間２２４内に収容される又は収容空間２２４から取り出される。
【００１０】
第一挟持部２４は、底壁２２０の底面の後側から下方に垂直に延伸する弾性片２４０と、弾性片２４０の前側に突設された突出部２４２と、を備える。
【００１１】
第二挟持部２６は、底壁２２０の底面の前側から下方に垂直に延伸する２つの延伸部２６０と、延伸部２６０の底端を連接する連接部２６２と、延伸部２６０の底端から互いに離れる方向に且つ底壁２２０と平行となるようにそれぞれ延出した後、上方に垂直にそれぞれ延伸する２つの抵抗部２６４と、を備える。各抵抗部２６４の上端は、第一挟持部２４に向けて突出している。
【００１２】
図３に示したように、ケーブルクランプ２０を板体１０に装着する際、ケーブルクランプ２０を開口２２６が上方に位置するように板体１０に装着する。この際、弾性片２４０と第二挟持部２６とは板体１０を挟みながら互いに離れるように弾性変形する。突出部２４２が固定孔１２と対向すると、弾性片２４０は弾性復帰して突出部２４２を固定孔１２に係合させ、抵抗部２６４の上端は板体１０を押圧し、ケーブルクランプ２０を板体１０に固定する。
【００１３】
ケーブルクランプ２０を板体１０から取り外す際、第一挟持部２４と第二挟持部２６とを互いに離れるように移動させて、突出部２４２を固定孔１２から退出させた後、ケーブルクランプ２０を上方へ移動すれば、ケーブルクランプ２０を板体１０から取り外すことができる。
【符号の説明】
【００１４】
１０  板体
１２  固定孔
２０  ケーブルクランプ
２２  収容部
２２０  底壁
２２２  制限部
２２４  収容空間
２２６  開口
２４  第一挟持部
２４０  弾性片
２４２  突出部
２６  第二挟持部
２６０  延伸部
２６２  連接部
２６４  抵抗部
３０  シャーシ
３２  底板
４０  ケーブル
【図１】
2014183733.tif 000003
【図２】
2014183733.tif 000004
【図３】
2014183733.tif 000005
(57)【要約】【課題】雑草の根元を引っ掻くように抜き取ることが出来、特に芝生や砂利の中の雑草を根元から抜くことが出来るようにした草抜き具を提供する。【解決手段】把持部１の先端部に草を抜くための金属線群２を接続した草抜き具において、金属線群２は複数の金属線で構成し、把持部１より延設した延伸部３と先端部で下方に折り曲げた屈曲部４と先端爪部５で形成し、先端爪部５の金属線間は先端に向けて広く形成して雑草の根元に差し込んで、引っ掻くように引き抜くことが出来るようにした草抜き具。【選択図】図１
2014183827.tif 000002
【特許請求の範囲】
【請求項１】
把持部（１）の先端部に草を抜くための金属線群（２）を接続した草抜き具であって、前記金属線群（２）は、一定太さの複数の金属線（６ａ）（６ｂ）（６ｃ）で構成し、把持部（１）の先端より延設した延伸部（３）と、延伸部先端で下方へ折り曲げた屈曲部（４）と、先端爪部（５）を形成し、該先端爪部（５）は各金属線間が同一間隔で先端に向けて広くなるように形成していることを特徴とする草抜き具。
【請求項２】
前記金属線群（２）は、一定太さの複数の金属線（６ａ）（６ｂ）（６ｃ）で構成し、屈曲部（４）は延伸部（３）に対して略直角に下方に折り曲げて形成し、該屈曲部（４）の各金属線間の間隔は最小で形成したことを特徴とする請求項１記載の草抜き具。
【発明の詳細な説明】
【技術分野】
【０００１】  本発明は、雑草を人手により除去する際に使用する草抜き具に関する。
【背景技術】
【０００２】  従来、この種の草抜き具としては様々な構造のものがある。一般的には基体の基板体の先端部に草を挿入係止する係止部を設け、基端部に握持部を設けた構成で、基体先端の係止部に草を挿入係止し、握持部を持って操作することにより地面から草を引き抜きするものであった。【０００３】  更に、このような草抜き具に対して、草を引っ掻いて根元から除去するように構成した先端部を複数の爪状で形成した草抜き器も知られている。【０００４】  このような従来の草抜き具は、雑草の根を抜き取ることが出来るように先端にＶ状の切り欠き部や二股状のホーク部を有し、手前方向から雑草の根元に突き刺し、梃子作用により根を持ち上げて引き抜くものであるため、雑草によって根元が分かりにくいものや、根の形によってはずれてしまうと抜けなくなるなどの問題点があった。
又、複数の爪部で形成して引っ掻くように抜く草抜き具は、草を引っ掻く時に爪部の付け根の溝に土などが挟まりやすく作業に手間がかるなどの問題点があった。
従来の草抜き具はいずれも、砂利や芝生の中の雑草の根を抜くのに手間がかかり、特に芝生を傷めるなどの問題もあった。
【発明の概要】
【発明が解決しようとする課題】
【０００５】  本発明は、従来の問題点を解決するためになされたもので、雑草の根元に対して手前に向けて草の根元を引っ掻くように抜くことが出来るようにし、草の種類によって生え方の異なる根元に差し込みやすくなるようにし、更に金属線の特徴を生かしているので芝生や砂利の中に深く差し込んで草の根元を抜くことが出来るようにして問題を解決しよとするものである。
【課題を解決するための手段】
【０００６】  把持部（１）の先端部に草を抜くための金属線群（２）を接続して草抜き具を構成したものであり、前記金属線群（２）は、一定太さの複数の金属線（６ａ）（６ｂ）（６ｃ）で構成し、把持部（１）の先端より延設した延伸部（３）と、延伸部先端で下方へ略直角に折り曲げた屈曲部（４）と、先端爪部（５）を形成し、該先端爪部（５）各金属線間が同一間隔で先端に向けて広くなるように形成して問題点を解決している。【０００７】  金属線群（２）は、一定太さの複数本（６ａ）（６ｂ）（６ｃ）で構成し、延伸部（３）、屈曲部（４）及び先端爪部（５）で各線間は接着固定していないものとし、更に屈曲部（４）は各線間の間隔は最小で形成して問題を解決している。
【発明の効果】
【０００８】  本発明の草抜き具は、金属線で構成しているので、弾力性があり強い力を加えることが出来るので、雑草のタイプを気にせずに根を引っ掻くことで抜くことが出来るので、子供や高齢者にも安全に使いこなせることが出来るようになる。
更に、従来の同タイプの草抜き具に比べ砂利や芝生の中に根を張った雑草も引き抜くことが出来るようになる。【０００９】  本発明の草抜き具は、金属線群が延伸部より先端部まで接着固定していないので、従来のような板体に形成したものに比べてあらゆる草の根に合わせることが容易になり、先端部がクマデ状に形成しているので草を抜く作業以外にも使用することが出来る。
【図面の簡単な説明】
【００１０】
【図１】本発明の外観斜視図
【図２】本発明の正面図
【発明を実施するための形態】
【００１１】  本発明の実施形態について具体的な詳細について説明する。
【００１２】  図１は本発明の外観斜視図である。把持部を筒型にした場合の金属線群の接続の例を表した斜視図である。
【００１３】  図２は本発明の正面図である。延伸部の先端で下方に略直角に屈曲している正面図である。
【００１４】１  把持部
２  金属線群
３  延伸部
４  屈曲部
５  先端爪部
６ａ  金属線
６ｂ  金属線
６ｃ  金属線
【図１】
2014183827.tif 000003
【図２】
2014183827.tif 000004
(57)【要約】      （修正有）【課題】窓際に置いた植物は半面のみの自然光で自然光不足の為、活発な生育は望めなかった、この課題を解決し室内である事を活かし冬でも花を咲かせる事ができる植物育成用自然光反射板を提供する。【解決手段】折りたたんである反射板１を窓際に向けびょうぶのように開き表側に付けてある反射面２で植物３を室内側及び両側面から自然光を当て植物３の発育を活発にさせるようにした。【選択図】図２
2014183831.tif 000002
【特許請求の範囲】
外の自然光を室内に置いた反射板で受け部屋の内側から窓側へ向け自然光を反射し窓際に置いた植物へ反射光を当て生育を活発にさせ冬でも花の咲く事もあり希望がもてる。
【発明の詳細な説明】
【技術分野】
【０００１】本発明は室内で外の自然光を反射板で受け部屋の内側から外へ向け光を反射し窓際に置いた植物を内側と両側面から反射光を当て生育を活発にするものである
【背景技術】
【０００２】従来窓際に置いた植物は外からの光のみで発育は不十分であった
【発明の開示】
【発明が解決しようとする課題】
【０００３】室内に置いた植物は自然光の不足で活発な生育は望めなかった本発明はこの課題を解決するためになされたものである。
【課題を解決する為の手段】
【０００４】おりたたんである反射板（１）を窓際に向けびょうぶのように開き表側に付けてある反射面（２）で植物を室内側及び両側面から自然光を当て植物の発育を活発にさせるようにした。
【発明の効果】
【０００５】▲イ▼室内で生育する事ができ冬の寒さを防ぎ、花が咲く事もある
▲ロ▼ベランダや軒下の植物は家自体が、かべとなり光が半減するため外での使用効果が大きい。
【図面の簡単な説明】
【０００６】
【図１】おりたたんである斜視図
【図２】使用例の斜視図
【符号の説明】
【０００７】１  反射板
２  反射素材による反射面
３  植物
【図１】
2014183831.tif 000003
【図２】
2014183831.tif 000004
(57)【要約】【課題】  光の向きや照度に左右されず、指先の感覚でシートを切断できるシートカッターを提供する。【解決手段】  本体（１）内に設けたカッターナイフの刃（２）の横に、ガイド版（４）を設けた事を特徴とする。【選択図】図２
2014028299.tif 000002
【特許請求の範囲】
【請求項１】
カッターナイフの刃の横に、ガイド板（４）を設けたシートの切断道具であるシートカッター。
【発明の詳細な説明】
【技術分野】
【０００１】  この発明は主に床材のノンスリップシートなどの凹凸を利用して、シートを切断する道具である。
【技術背景】
【０００２】  従来、直定規とカッターナイフを使用して、シートを切断していた。
【先行技術文献】
【０００３】
【発明の概要】
【発明が解決しようとする課題】
【０００４】  従来の欠点は、直定規とカッターナイフでノンスリップシートなどの凹凸に沿って、真っすぐ切断する際、光の向きや照度により見づらく、きれいに切断しにくかった。
本発明は以上のような欠点をなくすために作られた作品である。
【課題を解決するための手段】
【０００５】  本体（１）の中に、カッターナイフの刃（２）を設け、シャフト（３）の通ったガイド板（４）を設ける。
本発明は、以上の構成によりなるシートカッターである。
【発明の効果】
【０００６】  このシートカッターはノンスリップシートなどの表面の凹凸に、ガイド板（４）を合わせ、シャフト（３）を軸に本体を傾けるだけで、設けてあるカッターナイフの刃（２）が出てくる。後はノンスリップシートなどの凹凸に沿わせ滑らせるだけで、光の向きや照度に左右される事なく、簡単できれい、かつ迅速にノンスリップシートなどを切断できる。
【図面の簡単な説明】
【０００７】
【図１】  本発明の斜視図である。
【図２】  本発明の分解斜視図である。
【図３】  本発明の断面図である。
【発明を実施するための形態】
【０００８】  以下、本発明を実施するための形態について説明する。
本体（１）の中にカッターナイフの刃（２）を設け、シャフト（３）を軸にスイングするガイド板（４）を設ける。
本発明は以上のような構造である。
これを使用する時は、ガイド板（４）をノンスリップシートなどの表面の凹凸に合わせ、シャフト（３）を軸にして本体（１）を傾けカッターナイフの刃（２）を出す。後は凹凸に沿わせて滑らせ、ノンスリップシートなどを切断する。
その他の応用例として、壁紙の施工時、入り隅や枠の凹凸に沿わせ、後は同様にシートカッターを滑らせる事により、壁紙の余分な部分を、地ベラや定規を使用せず切り取る。
【符号の説明】
【０００９】  １  本体
２  カッターナイフの刃
３  シャフト
４  ガイド板
【図１】
2014028299.tif 000003
【図２】
2014028299.tif 000004
【図３】
2014028299.tif 000005
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
第１の刃と、
第２の刃と、
前記第１の刃と前記第２の刃を設けた本体と、
前記本体と接続されたガイド板とを有し、
前記本体を前記ガイド板に対して傾けることにより前記ガイド板から前記第１の刃または前記第２の刃が出る
ことを特徴とするカッター。
(57)【要約】      （修正有）【課題】多段型ショーケース棚下照明につき、大幅な省電力ならびに省スペースを実現すると共に、有害物質を含まない方法を提供する。【解決手段】従来の蛍光管の長さに合致した長さで帯状ＬＥＤを用意し、多段型ショーケースの天井や棚下の蛍光管および保護カバーを外し、天井裏または棚裏平面の塵埃や脂分を除去するなどして帯状ＬＥＤを貼り付けるための平面を整え、磁気テープまたは両面テープを用いて帯状ＬＥＤ照明器具を接着する。【選択図】図４
2014180520.tif 000002
【特許請求の範囲】
【請求項１】
多段型ショーケース、おもに冷蔵ショーケースの天井下および棚下を照明していた従来型蛍光管に代わり、消費電力がより低くかつ発熱もより少ない帯状ＬＥＤ照明器具を装着することで電気コストならびに冷却コストを削減する省エネルギー効果とともにＣＯ２排出量を削減する効果を実現する方法。
【請求項２】
多段型ショーケース、おもに冷蔵ショーケースの棚下を照らしていた透明樹脂カバーを含む筒状の従来型蛍光管に代わり、はるかに厚みの少ない帯状ＬＥＤ照明器具を装着することで棚の厚みが大幅に低減され、棚奥の可視範囲が広がり、商品の陳列を容易にし、かつ購入時に棚から商品が取り出しやすくなる利便性を実現する方法。
【発明の詳細な説明】
【技術分野】
【０００１】  本発明は、多段型ショーケース、おもに冷蔵ショーケースの棚下照明における節電および省スペースに関する。
【背景技術】
【０００２】  ＬＥＤ照明の光源であるＬＥＤ素子はサイズが極めて小さく、従来型ランプに比べて発光効率が優れているため、省電力ならびに省スペースを実現する光源として理想的である。
【発明の開示】
【発明が解決しようとする課題】
【０００３】  図３のような従来の多段型ショーケースの棚下照明には蛍光管が用いられており、ガラス製の蛍光管を透明樹脂のカバーが覆い、それらが棚を厚くし、図４（ロ）のように棚奥の可視範囲を狭め、商品の陳列や商品の取り出しを空間的に制限していた。
また、蛍光管はＬＥＤに比較して電力消費が大きいだけでなく、環境や人体にとって有害な水銀を含んでおり、その使用が世界的に制限される傾向にあるため、それに代わってより低消費電力かつ有害物質を含まない光源への転換が求められていた。【０００４】    本発明は、上の事情に鑑み、省電力と省スペースならびに有害物質を含まない光源へ転換すべく、多段型ショーケースの棚下照明に用いられている蛍光管を本発明品に容易に交換できることを目的とする。
【課題を解決するための手段】
【０００５】  本発明は、上記課題を解決するため、以下の手段を採用する。
多段型ショーケースの天井や棚下の蛍光管および保護カバーを外し、天井裏または棚裏平面の塵埃や脂分を除去するなどして帯状ＬＥＤを貼り付けるための平面を整える。【０００６】  帯状ＬＥＤの長さは選択可能であり、従来蛍光管の長さに合致した長さで用意できる。帯状ＬＥＤを天井裏または棚裏へ装着するのには、磁気テープまたは両面テープを用いて接着する。帯状ＬＥＤ自体が軽量であるため磁気テープまたは両面テープでよい。
【発明の効果】
【０００７】  本発明への転換により、多段型ショーケース天井下および棚下の従来蛍光管と比較した場合、消費電力は７５％削減される。
幅４尺のショーケースすなわち長さ１．２メートルの蛍光管１本を例にとると、その消費電力は安定器消費分と併せて約４５ワットであるが、同じ長さの帯状ＬＥＤ照明器具に転換すると消費電力は１１ワットであり蛍光管の約２５％に縮小され、蛍光管に比べ発熱もやや減少する。【０００８】  本発明への転換により、図４（イ）のように棚の厚みが大幅に低減され、棚奥の可視範囲が広がり、商品の陳列を容易にし、かつ購入時に棚から商品が取り出しやすくなる。【０００９】  蛍光灯から本発明の帯状ＬＥＤ照明器具への転換により、光源の性質の相違から図５写真のように商品ラベルの文字が明瞭化し、老眼の高齢者にも商品が選びやすくなる利点を生じる。
【発明を実施するための最良の形態】
【００１０】  本発明に係わる一実施形態について、図１および図２を参照して説明する。
通常の帯状ＬＥＤ照明器具では防水性・強度に不足があるが、本発明では防塵性と防滴性のためＬＥＤチップの並んだフレキシブルプリント基板を図１（イ）のかまぼこ形、図１（ロ）の矩形、または図１（ハ）のハウス形のシリコンチューブで包んだ帯状の照明器具を基礎材料とする。【００１１】  場合により、同じく防塵性と防滴性の観点から、図２のようなパリレン蒸着方式により極薄に被覆したＬＥＤチップの並んだ帯状ＬＥＤ照明器具も本発明の材料となる。
【産業上の利用可能性】
【００１２】  本発明は、おもに多段型冷蔵ショーケースの棚下照明に関わるが、帯状ＬＥＤ自体が軽量であるため磁気テープまたは両面テープでそれ自身の重さを支えることができるため、様々な拡大的転用が可能である。
一例として、もともと照明器具が付いていないために部屋天井の照明に頼っているような商品棚、たとえは常温の多段式ショーケースの各棚に帯状ＬＥＤ照明器具を設置することで、天井からの照明を低減または省略することが可能になったり、棚下ライトアップによる売上増などの効果が考えられる。
【図面の簡単な説明】
【００１３】
【図１】  ＬＥＤチップの並んだフレキシブルプリント基板を、（イ）かまぼこ形、（ロ）矩形、または（ハ）ハウス形のシリコンチューブで包んだ帯状の照明器具
【図２】  パリレン蒸着方式により極薄に被覆したＬＥＤチップの並んだ帯状の照明器具
【図３】  蛍光管を用いた従来の多段型ショーケース棚下照明
【図４】  （イ）帯状ＬＥＤを用いた本発明の棚下照明と、（ロ）蛍光管を用いた従来の棚下照明の比較図
【図５】  帯状ＬＥＤを用いた本発明の棚下照明と蛍光管を用いた従来の棚下照明を同時に撮影した参考写真
【図１】
2014180520.tif 000003
【図２】
2014180520.tif 000004
【図３】
2014180520.tif 000005
【図４】
2014180520.tif 000006
【図５】
2014180520.tif 000007
(57)【要約】      （修正有）【課題】男性が立ったままオシッコをするとき使用するとき、確実に便器に届くおしっこコントロールパイプを提供する。【解決手段】男性がトイレで立ったままオシッコをするとき、勢いがよく、とびちったり、放尿の力が弱くて便器まで届かなかったりして、トイレを汚したり、自分のズボンをぬらしてしまうことを防ぐ補助パイプを使用する。【選択図】図１
2014180522.tif 000002
【特許請求の範囲】
【請求項１】
男性がトイレで立ったままオシッコをするとき勢いがよくとびちったり、放尿の力が弱くて便器までとどかなかったりしてトイレをよごしたり自分のズボンをぬらしてしまうのをふせぐための補助パイプ
【発明の詳細な説明】
【技術分野】
【０００１】おしっこがとびちったりたれたりするのをふせぐことによって解決するものである
【背景技術】
【０００２】今まではなかったのでトイレやズボンをよごしていた
【発明の開示】
【発明が解決しようとする課題】
【０００３】老いるとだんだん放尿の力がなくなりズボンをぬらしたりトイレに届かなくなって、トイレの前をよごしてしまう。おしっこコントロールパイプを使用することにより  そうした失敗がなくなる若い人は勢いがありすぎてトイレをとびこしたり、はねかえったりするそうした失敗もなくなる
【課題が解決するための手段】
【０００４】おしっこコントロールパイプを使用することで解決する
【発明の効果】
【０００５】トイレをよごすことがなくなるズボンをぬらすことがなくなる座って用をたす必要もない
【発明を実施するための最良の形態】
【０００６】片手でおしっこコントロールパイプをもち太い方にさしこみ放尿することにより確実に便器に放尿できる
【図面の簡単な説明】
【０００７】
【図１】図は本発明の図である
【図１】
2014180522.tif 000003
(57)【要約】【課題】  本発明は、たとえば、調味料やキッチン用品など、また、各種文房具をテーブルの上で簡単に整理ができて、誰が使っても、見てすぐにわかるように工夫したものである。さらに、いつも整理ができているので、紛失防止に役立ち、使いたいときに、回転させながら使えるトレースタンドを提供する。【解決手段】  トレースタンド本体（１）の周囲に凹部状に段差を設け、凹部に円形状にスベリ止め（５）を設け、トレースタンド本体（１）の表面の周囲の縁に複数個の穴（３）を設け、穴（３）につまみ（２）を設け、スベリ止め（５）の上面にスタンド（４）を設けたことを特徴とする回転つまみ付きトレースタンド。【選択図】図１
2014180528.tif 000002
【特許請求の範囲】
【請求項１】
トレースタンド本体（１）の周囲に凹部状に段差を設け、凹部に円形状にスベリ止め（５）を設け、トレースタンド本体（１）の表面の周囲の縁に複数個の穴（３）を設け、穴（３）につまみ（２）を設け、スベリ止め（５）の上面にスタンド（４）を設けたことを特徴とする回転つまみ付きトレースタンド。
【発明の詳細な説明】
【技術分野】
【０００１】  本発明は、たとえば、調味料、キッチン用品だけでなく、アクセサリー、化粧品、事務用品の小物の文房具をテーブルの上で簡単に整理ができて、誰が使っても、見てすぐにわかるように工夫したものである。
さらに、いつも整理ができるので、紛失防止に役立ち、使いたいときに、回転させながら使える回転つまみ付きトレースタンドに関するものである。
【背景技術】
【０００２】  従来のトレースタンドは、たとえば、調味料、キッチン用品などに限られ回転台の縁を片手で押さえ、上部を回転させるため手間がかかった。
そこで、少なくとも１枚の皿を上部に持ち上げた状態で置けるようにし、その下部空間を利用することで、食卓上を広く使用できるようにした皿用台座兼用調味料容器トレーが提案されている。（特許文献１参照）
また、塩、コショウ、醤油、ソースなどの調味料が収容される容器がまとめて載置され、食卓などに置かれる調味料用スタンドが提案されている。（特許文献２参照）
【先行技術文献】
【特許文献】
【０００３】
【特許文献１】  特開２００７−７５５４６号公報
【特許文献２】  登録実用新案第３１０７６２６号公報
【発明の概要】
【発明が解決しようとする課題】
【０００４】  そのために、次のような問題点があった。
（イ）トレー回転の都度、上下部を押さえ回転させなければならず、即回転には煩雑な神    経と慎重に指先緊張させねばならなかった。
（ロ）即回転、収納、快適でなかった。
本発明は、以上の問題点を解決するものである。
自宅、または、レストランなどで、数人で食事をするとき、さまざまな大きさの皿盛り料理、その他調味料容器などで食卓上が狭くなるときがあった。
テーブルによっては収納式の小テーブルが付属したもの、あるいは、別物体を取り付けて面積を増やす方法がとられていたが、限られた食卓上の面積を広く使用するための工夫がなされた器具、道具類はなかった。
食卓上の限られた面積を有効に利用する工夫がなされた器具、道具類はなかった。
本発明は、以上の問題点を解決するものである。
【課題を解決するための手段】
【０００５】（イ）トレースタンド本体（１）の周囲に凹部状に段差を設ける。
（ロ）凹部状のところに円形状にスベリ止め（５）を設ける。
（ハ）トレースタンド本体（１）の表面の周囲の縁に複数個の穴（３）を設ける。
（ニ）穴（３）につまみ（２）を設ける。
（ホ）スベリ止め（５）の上面にスタンド（４）を設ける。
以上のように構成された回転つまみ付きトレースタンド。
【発明の効果】
【０００６】  本発明で食卓上を広く使用できる。
本発明で食卓の上の空間を利用し、食卓の上の限られた面積を有効に使用できる。
本発明は、トレー上の物品は、調味料、キッチン用品だけでなく、アクセサリー、化粧品、事務用品の小物の紛失防止などスピード感に適した効果的なトレースタンドである。
【図面の簡単な説明】
【０００７】
【図１】  本発明のトレースタンド本体の斜視図である。
【図２】  本発明のつまみの部分を詳しく説明した断面図である。
【図３】  本発明の使用状態を示した斜視図である。
【発明を実施するための形態】
【０００８】  以下、本発明の実施の形態について説明する。
（イ）トレースタンド本体（１）の周囲に凹部状に段差を設ける。
（ロ）凹部状のところに円形状にスベリ止め（５）を設ける。
（ハ）トレースタンド本体（１）の表面の周囲の縁に複数個の穴（３）を設ける。
（ニ）穴（３）につまみ（２）を設ける。
（ホ）スベリ止め（５）の上面にスタンド（４）を設ける。
以上のように構成された回転つまみ付きトレースタンド。
本発明は、トレー上で物品を簡単に確認できる。
回転つまみを指でつまんで、希望方向へ容易に回転することができるため、取扱いがスピーディーで、目的も簡単に果たすことができる。
いつも整理ができるので、ちょっと置き物の忘れ防止用のトレースタンドとして使える。
キッチン用、調味料だけでなく、置き忘れ防止用に、アクセサリー置き、化粧品置きトレーとして幅広く利用することができる。
【符号の説明】
【０００９】    １  トレースタンド本体
２  つまみ
３  穴
４  スタンド
５  スベリ止め
【図１】
2014180528.tif 000003
【図２】
2014180528.tif 000004
【図３】
2014180528.tif 000005
(57)【要約】【課題】小型の起き上がりこぼしを、成形用の型を用いないで製造したい。さらに起き上がりこぼしに新しい機能を持たせたい。【解決手段】大小の繭玉を切断し、大粒の繭を人形の下半身、小粒を上半身に用い、両者をつないで一体となし、錘には磁石を用いる。【選択図】図４
2014180524.tif 000002
【特許請求の範囲】
【請求項１】
繭玉を素材にして製造する、起き上がりこぼし人形。
【請求項２】
起き上がりこぼし人形の底に固着させる錘に、磁石を用いる。
【発明の詳細な説明】
【技術分野】
【０００１】起き上り小法師（こぼし）は、玩具や民芸品として、倒しても起き上がる面白さや、希望の象徴に映ると親しまれ、広く販売されている。
【背景技術】
【０００２】起き上りこぼしは、座禅する達磨大師をデフォルメした人形である。人形は木型などの成形型に紙を貼りつけて作る張り子である。空洞の人形の底部には、錘を固着する事により、転倒させても起き上がるという運動が生じる。
【発明の概要】
【発明が解決しようとする課題】
【０００３】小型の起き上りこぼし人形を、木や金属等の成形用の型を用いないで製造したい。
【課題を解決するための手段】
【０００４】この課題を解決するための請求項１の発明は、天然の素材である繭玉をそのまま起き上りこぼしの胴体に利用することによって、成形型を用いない製造を可能にする。【０００５】起き上りこぼし人形の胴体部分に、繭玉を利用する第一の理由は、繭玉が達磨大師を連想させる形をなしているからである。一般にダルマ形という場合、まるい形を表わす。繭のまるみは、まさしくダルマ形で、この形をそのまま利用することにより、特別の成形が不要となる。【０００６】繭玉を利用する第二の理由は、繭玉が極めて軽い殻であることである。この軽さが小さな錘でも効果をあげる。ちなみに繭玉１粒の容積は約１５ｃｃ、重量は０．５ｇ前後である。【０００７】利用する繭玉は、大粒（図１−１Ａ）と小粒（図１−１Ｂ）の２種を用いる。大粒は繭の胴の直径が約２５ｍｍ、小粒は約２０ｍｍが望ましい。大粒は、起き上りこぼしの下半身部（図２−２Ａ）、小粒は上半身（図２−２Ｂ）、人形の頭部となる。採用する繭玉は図１のように切断して利用する。【０００８】繭玉は、その胴の底部に錘を固着するだけでは起立しないので、繭玉の底部（先端）に平面部をつくらなければならない。本発明になる加工方法は、繭玉を温水に浸して柔らげ、図３のように指などで圧し、凹ませて平面をつくる。その平面は輪の状態でつくられることが多い。凹ませた部分には固化剤を塗り、乾燥させて形を固定する。【０００９】請求項２の発明は、起き上りこぼし人形の錘に、磁石（マグネット）を用いることである。さいわい繭玉に封入しやすい磁石は、汎用品として流通しており、その形は円形で、直径１３ｍｍ前後、厚みは４ｍｍ前後である。
【発明の効果】
【００１０】本発明になる第一の効果は、小型の起き上りこぼし人形の製造において、成形のための成形型が不要となることである。【００１１】効果の第二は、錘に磁石を用いるため、資料どめやクリップホルダーとして使えるようになったことである。即ちこれまでの民芸玩具に生活利便化の機能が付加されることになる。
【図面の簡単な説明】
【００１２】
【図１】図１は、利用する繭玉、大小２個である。
【図２】図２は、繭玉を切断し、利用する部分を示す。
【図３】図３は、人形の下半身部をなす繭玉の底部を、座りをよくするよう先端を圧し込んだ状態を示す。
【図４】図４は、繭玉の大小を結合させた状態を示す。
【図５】図５は、絵付けを施した状態を示す。
【発明を実施するための形態】
【００１３】利用する繭玉の胴の直径は、大粒は約２５ｍｍ、小粒は２０ｍｍ前後が望ましい。図２のように切断した繭は、図４のように結合させ完成する。
【符号の説明】
【００１４】１    １は、繭玉の切断する部分を破線で示す。
２    ２は、繭玉の中、大粒のものを利用し、起き上りこぼし人形の下半身部に用いる。
３    ３は、小粒の繭玉を切断したもので、人形の上半身部に用いる。
４    ４は、繭玉の底部を圧し込んだ状態を示す。
５    ５は、錘。（磁石）
【図１】
2014180524.tif 000003
【図２】
2014180524.tif 000004
【図３】
2014180524.tif 000005
【図４】
2014180524.tif 000006
【図５】
2014180524.tif 000007
(57)【要約】【課題】  フトンカバーの襟部分などの汚れは、使っていく内に、洗濯しても取れないシミになってしまい、カバーの他の部分がまだ非常にきれいな状態であっても、処分せざるをえなくなる。フトン、枕、座布団、ソファークッション等のカバーの、洗濯で取れない汚れ、シミの箇所を見えない場所に移動させ、きれいな部分に簡単に置き換えて、経済的に長く使い、カバー交換も簡単にでき、綿ゴミや洗濯屑を不衛生に溜め込む角や隅を有しない形のカバー形成を可能にするスナップテープを提供する。【手段】  一個のスナップ台に、凹型部材、凸型部材の両方の型部材を並列して設置し、この凹凸一体型になったスナップ台を、生地テープ上に一定の等間隔で、複数並列して設置したことを特徴とする凹凸一体型スナップテープ【選択図】図３
2014180521.tif 000002
【特許請求の範囲】
【請求項１】
一個のスナップ台に、凹型部材、凸型部材の両方の型部材を並列して設置し、この凹凸一体型になったスナップ台を、生地テープ上に一定の等間隔で、複数並列して設置したことを特徴とする凹凸一体型スナップテープ
【発明の詳細な説明】
【技術分野】
【０００１】  本発明は、フトンカバー等の開口部に縫い付けて使うスナップテープに関するものである。
【背景技術】
【０００２】  従来、スナップは凹凸２種類の型部材が相互に分離してつくられていたため、それを利用する製品本体に縫い付けた場合、向かい合うスナップの相手は常に同じでなければならないように固定されている（特許文献１参照）。
【先行技術文献】
【０００３】
【特許文献１】  特開２０１２−３４８７２号  公報
【発明の概要】
【発明が解決しようとする課題】
【０００４】  従来、フトンカバーの多くは四角を有する袋状に縫製されており、襟元など汚れやすい特定の一部分が、洗濯してもシミが残ってしまうことが多く、そうなると他の部分はきれいでも処分せざるを得なくなり、不経済である。叉、四角の内側の角張った隅に綿ゴミが溜まり、とても取り除きにくい。
本発明は、以上のような問題点を解決するためになされたものである。
【課題を解決するための手段】
【０００５】  一個のスナップ台に、凹型部材、凸型部材の両方の型部材を並列して設置し、この凹凸一体型になったスナップ台を、生地テープ上に一定の等間隔で、複数並列して設置する。
以上を特徴とする凹凸一体型スナップテープである。
【発明の効果】
【０００６】  一つのスナップ台に凹凸両方の型部材が設置してあり、そのようなスナップ台が等間隔に並列してあるスナップテープが輪状になれば、向かい合うスナップ台は、相互に自在に相手を取り替えても全く同様に嵌号し合うことができる。フトンカバーを筒状に形成し、反対方向に開口している２つの開口縁の内側に本発明を設置すれば、フトンカバーの一部の襟元等が汚れて、洗濯してもシミが残ってしまっても、該箇所を輪をたぐるように簡単にずらして、きれいな箇所に取って替えることができる。カバーが筒状なので、綿ゴミや洗濯ゴミが溜まり易い角隅がなくなって衛生的である。相反対方向に２つの全開口部があるので、カバー交換が楽にできる。フトンだけでなく、座布団やソファークッションのカバーなどにも幅広く応用できる。
【図面の簡単な説明】
【０００７】
【図１】  本発明の斜視図
【図２】  本発明の構成単位である一スナップ台の拡大平面図
【図３】  図２を側面から見た断面図
【図４】  本発明におけるスナップ凹部材とスナップ凸部材の嵌号し合った状態を示す断面図
【図５】  本発明の実施例をしめす斜視図
【発明を実施するための形態】
【０００８】  以下、本発明の実施の形態を説明する。
一個のスナップ台（１）に、凹型部材（２）、凸型部材（３）の両方の型部材を並列して設置し、この凹凸一体型になったスナップ台（１）を、生地テープ（４）上に一定の等間隔で、複数並列して設置する。
本発明は以上のような構成であり、以下、実施の形態を説明する。
本発明を、実際に利用する時は、フトンカバーや、その他枕、ソファークッション、座布団等のカバーを筒状に形成し、相反対方向に開口している２つの開口部縁の内側に、一周回する形で本発明を縫着等によって設置する。通常のフトンカバーのように四辺を有する袋状の一辺だけを開口するのと違い、両方向に全開口しているので、カバー交換時に中のフトンや枕、クッション、ザブトン等を取り出すのが非常に楽にできる。また、中身のフトン等を外から輪状に包み込む形のカバーなので、洗濯で取れないような汚れやシミの箇所を輪をたぐるように移動させ、きれいな箇所に置き換えることが簡単にでき、長く使用し続けることができて経済的である。更に、カバーには角や隅が形成されないので、綿ゴミや洗濯クズなどが溜まる心配がなく、衛生的でもある。
【符号の説明】
【０００９】  １  スナップ台，    ２  凹型部材，    ３  凸型部材，    ４  生地テープ
【図１】
2014180521.tif 000003
【図２】
2014180521.tif 000004
【図３】
2014180521.tif 000005
【図４】
2014180521.tif 000006
【図５】
2014180521.tif 000007
(57)【要約】      （修正有）【課題】女性用の尿漏れに対する商品が多いのに対し、男性用のそれに対応したものが圧倒的に少ない。女性用ナプキンの様に容易に取り外し可能で使い捨て出来、且つ多様な陰茎の大きさにも対応する男性用尿取りパッドを提供する。【解決手段】女性用ナプキンとほぼ同サイズであり持ち運びが可能で、使い捨てのため、時や場所を選ばずに交換することが出来る。陰茎を器具に収納し、ギャザー６で様々な陰茎の大きさにも対応出来るようにしているため各人の陰茎にフィットし、安心して行動することが出来る。【選択図】図１
2014180525.tif 000002
【特許請求の範囲】
【請求項１】
内側の補強膜層、外側の防水膜層の間に尿を吸収する高分子水分吸収素材を設けた尿取りパッドを袋状に形成し、その内部に陰茎を収納するようにした男性用使い捨て尿取りパッド。
【請求項２】
様々な陰茎の大きさに対応できるよう先端にかけて丸みをつけ、男性陰茎部を全体に包被し、パッド装着時に先端部分が股間に邪魔にならず、また後端部を挿入口として、陰茎とずれないよう、様々な陰茎の大きさに対応可能なギャザーで固定した男性用使い捨て尿取りパッド。
【請求項３】
後端部の挿入口部分に、陰茎の大きさ等を考慮して中央部にマチ部分を形成し、陰茎を包被する部分には内側から補強膜層、高分子水分吸収素材、防水膜層を使用し、尿を吸収して、パンツ染みや尿漏れを防ぐ男性用使い捨て尿取りパッド。
【請求項４】
下着とパッドを固定させるために裏面に両面テープあるいは糊付けを施し、また裏面が平面になっていることにより密着度を高め、より接着を強力にさせることによってズレを防ぎ、いつでも取り外し可能であることを目的とした男性用使い捨て尿取りパッド。
【発明の詳細な説明】
【発明の詳細な説明】
【技術の分野】
【０００１】  本発明は、男性の軽い尿漏れに対する不安や恥ずかしさの解消を図った尿取りパッドに関する。
【背景技術】
【０００２】  高齢者や障害者、軽い尿漏れをする人等のために従来においても男性用尿取りパッドは開発され、下着に直接布を縫合し洗濯を要するもの、履くパンツ式のもの、女性用ナプキン様の布を下着に直接つけるタイプのものがある。【０００３】
【特許文献】  特開２０１１−２１８１１７
【発明の概要】
【発明が解決しようとする課題】
【０００４】  従来の男性用尿取りパッドでは、使い捨てという利便性はなく、外出時のパンツ染みや臭いなどを気にしている男性が多いのに対し、そういった対応は積極的にされておらず、また、特開２０１１−２１８１１７の様に陰茎サイズ調整部分にゴム紐を使用しているものも考案されているが、それだと圧迫感を伴い装着時に不快感をもたらしてしまうため、今回はそれを防止する工夫を施したものである。【０００５】  陰茎を収納する部分は筒状や袋状になったものが多く、そのどれもが固定された大きさで設定されており、様々な陰茎の大きさに対応したものがなかった為、一定の範囲の男性しか対象とすることが出来なかった。【０００６】  使い捨ての要素でもある下着とパッドの接着についてだが、従来のものではパッド側の接着部分が隆起しているため、下着に取り付けても外れやすい構造になっている。【０００７】  陰茎部が直接パッドと触れ合ってしまうため、男性が不快感を抱いたり、かぶれやすくなったりといった問題点が生じる。
【課題を解決するための手段】
【０００８】  陰茎とパッドとのズレを防ぎ、且つ圧迫感を伴うことなく自然に装着することができるようにゴムギャザーを使用した。【０００９】  陰茎の大きさに関しては、挿入口を広めにすることで下着を汚すことなく楽に挿入することが出来、袋状にした部分にマチを付けることで男性が受けるストレスを軽減する。【００１０】  また、パッド側の接着部分を平に作ることで下着とパッドとの接着強度を上げ、双方がずれることなく、外出先でも安心して装着することができ、且つ容易に付け外しできる。
【発明の効果】
【００１１】  本発明を使用することにより、中年男性や排尿機能障害者、残尿漏れや尿失禁に悩む男性が抱える尿の臭いやパンツ染みの心配、不意に排尿してしまうことの不安を解消し、日常を快適に過ごす効果が得られる。
【発明を実施するための最良の形態】
【００１２】  以下、図面に基づいて本発明の形態を説明する。図１に示すように、内面側▲１▼のソフトな肌触りの不織布と外面側▲３▼の不透過性のシートの間に▲２▼の高分子吸収剤を設けて袋状に形成し、その内部▲４▼に陰茎を収納するようにする。【００１３】  図１の▲６▼はゴム製のギャザー仕様になっており、動作時における陰茎とのズレを最小限にするとともに陰茎への圧迫感を軽減する役割を担っている。【００１４】  ▲４▼は下着に接着するために両面接着テープあるいは糊付けを使用し、▲４▼の面全体に貼り付けている。平な構造になっているため、一部分の接着ではなく全面の接着を可能にし、さらに接着部分を下着のゴム部分に折り返して固定することで接着性を高め、ズレを最小限に抑えることで装着者の精神的不安を取り除く。
【図面の簡単な説明】
【００１５】
【図１】テープ部分の詳細図
【図２】図１に適切なゆるみを入れるために型紙を展開した図
【図３】男性用使い捨て尿取りパッドの出来上がり図
【図４】男性用使い捨て尿取りパッドの実施形態を示す正図
【図１】
2014180525.tif 000003
【手続補正書】
【提出日】平成25年5月20日(2013.5.20)
【手続補正２】
【補正対象書類名】図面
【補正対象項目名】全図
【補正方法】変更
【補正の内容】
【図１】
2014180525.tif 000004
【図２】
2014180525.tif 000005
【図３】
2014180525.tif 000006
【図４】
2014180525.tif 000007
(57)【要約】【課題】  交差研削する角度が小さいと、研削したところが目立たず、精度の良い研削が難しい。従来は、交差して研削する角度を大きくするために、研削物かディスクグラインダーを持った体の向きを変えて研削していた。  この発明は、研削物も研削作業者も移動することなく、手元の操作だけで、横方向と縦方向が大きく交差して研削できる  ディスクグラインダーを目標にしたものである。【解決手段】  縦方向の研削跡が付き、研削部分が良く見えて、研削粉も作業者から遠ざかる前方向に飛散して、使いやすく安全な特性を利用できるように、研削砥石の左側の砥石カバーを取り除いて、縦方向研削開口部（５）を設置して、従来からの横方向研削部分（４）で研削できる横方向の研削と、はっきり交差する縦方向の研削を可能にしたディスクグラインダーである。【選択図】図１
2014180743.tif 000002
【特許請求の範囲】
【請求項１】
砥石カバー（１）の左側を取り除いて、縦方向研削開口部（５）を設けた  縦方向の研削も出来るディスクグラインダー
【発明の詳細な説明】
【技術分野】
【０００１】従来のディスクグラインダーは、横方向の研削あとの付く研削はできるが、縦方向は体の位置を変えないと研削が難しかった。
この発明は、体を動かさず、手元の操作だけで、横方向と交差した縦方向の研削も出来るディスクグラインダーである。
【背景技術】
【０００２】  従来から、ディスクグラインダーでの研削作業は、カバーの先端から半円状に開放された研削砥石等により行われている。
【先行技術文献】
【０００３】  不明
【発明の概要】
【発明が解決しようとする課題】
【０００４】  この発明は、従来の横方向に加え、縦方向の研削もできる、ディスクグラインダーを目指したものである。
ディスクグラインダーの砥石カバー（１）は、研削粉や破損した研削片が、作業者方向に飛散するのを  さえぎる様に作られている。
又、ディスクグラインダーの使用に於いては、前に削った方向と異なる方向に交差させて削ると、今削っている箇所が目立ち必要部分を選択して削れ、精度の良い研削が出来る。
従来、ディスクグラインダーの研削砥石カバーは、砥石の開口部がせまく、研削方向を交差して削れる角度が小さく、研削したところが目立ちにくい。
この交差する角度を  大きくするには、研削物か、ディスクグラインダーを持った体を移動させて、研削角度を変える必要があった。
この発明は、研削粉を研削者方向に飛散させない従来からの目的に加え、研削物も、研削作業者も移動させることなく、そのままの位置で、十分な角度で、研削方向を交差させて削れるディスクグラインダーを目的にしたものである。
【課題を解決するための手段】
【０００５】  回転研削砥石（２）の砥石カバー（１）の左側を取り除いて、縦方向に研削するための縦方向研削開口部（５）として活用して、従来からの前面研削開口部（３）で研削できる横方向研削部分（４）と、はっきり交差する縦方向の研削が出来る様にしたものである。
【発明の効果】
【０００６】  この発明は、砥石カバー（１）がなくても、研削粉が研削作業者の前方向に飛散して遠ざかり、安全で研削部分が良く見える特性のある回転研削砥石（２）の左側カバーを取り除いて、縦方向研削開口部（５）に活用する、最も簡単で合理的に、縦方向の研削を  実現させたものである。
これを  回転研削砥石（２）の、横方向研削部分（４）と交互に使って研削すると、体を動かすことなく、手元のディスクグラインダーを傾ける操作だけで交差した研削が簡単にでき、交差した研削により研削部分がわかり研削面の凹凸もわかるので、必要部分を選択して削れ、精度の良い研削が容易にできる様にしたものである。
本発明は、従来の横方向の研削に、交差する縦方向の研削もできる機能を備えた、ディスクグラインダーである。
【図面の簡単な説明】
【０００７】
【図１】  本発明の平面図
【図２】  本発明の側面図
【図３】  本発明の裏面図
【発明を実地するための形態】
【０００８】  従来ディスクグラインダーの研削砥石は、使用する前面研削開口部（３）を残し、上面と側面が半円状のカバーでおおわれ、研削に使われていない。
けれど、回転研削砥石（２）左側のカバーを取り除いて  この部分の回転研削砥石を使って研削すると、縦方向の研削跡を付けられる縦方向研削部分（６）として使えて、研削部分が良く見え、研削粉も研削作業者から遠ざかる前方向に飛散されて、使いやすく、安全である。
本発明はこの特徴を活用して、左側の砥石カバーを取り除いて、縦方向研削開口部（５）として用い、従来からの横方向研削部分（４）で研削できる横方向の研削とはっきり交差する研削を可能にしたものである。
図２の側面図と、図３の裏面図は、砥石カバー（１）の縦方向研削開口部（５）の上側面（８）から、下側面（９）へ  側面の砥石カバー（７）を  取り除いて、回転研削砥石（２）の縦方向研削開口部（５）を広げて、横方向と余裕のある交差研削ができる様にしたものである。
【符号の説明】
【０００９】  １  砥石カバー
２  回転研削砥石
３  前面研削開口部
４  横方向研削部分
５  縦方向研削開口部
６  縦方向研削部分
７  砥石カバー側面
８  縦方向研削開口部上側面
９  縦方向研削開口部下側面
【図１】
2014180743.tif 000003
【図２】
2014180743.tif 000004
【図３】
2014180743.tif 000005